(57)【要約】【課題】内視鏡を消毒するための消毒液を安定的に生成及び供給する。【解決手段】内視鏡洗浄消毒装置１では、希釈タンク１２０は、電磁弁１２４を介して、水を供給する希釈管路１２５を備えている。希釈タンク１２０は、液体供給先容器１０２と内部気体の移動を行うための管路となっている気体移動管路１２６と、水位検出手段としての水位検出センサ１２７と、希釈タンク１２０の内圧を大気圧に保つためのガスフィルタ１２８を備えたエアー抜き管路１２９と、希釈タンク１２０内の水により希釈された消毒液を洗浄消毒槽４に供給するためのポンプ１３０が設けられた消毒槽供給管路１３１と、を備えている。【選択図】図２
2010022663.tif 000002
【特許請求の範囲】
【請求項１】
容器内に存在している液体を別の容器に供給する液体供給装置を有する内視鏡洗浄消毒装置において、
液体を供給する元となる少なくとも１つの容器である液体供給元容器と、
液体を供給する先となる少なくとも１つの容器である液体供給先容器と、
前記液体供給元容器と前記液体供給先容器とを連結する液体を供給するための少なくとも１つの液体供給管路と、
前記液体供給管路の途中に設けられた液体供給を制御することのできる液体供給制御手段と、
前記液体供給元容器と前記液体供給先容器とを連結する少なくとも１つの管路であり、前記液体供給先容器内及び前記液体供給元容器内の気体の移動が行われるための管路となっている気体移動管路と、
前記液体供給元容器または前記液体供給先容器に設けられ、液体の水位を検知するための水位検出手段と、
前記供給元容器または供給先容器と連結し、前記供給元容器内及び供給先容器内の圧力を大気圧に調整するエアー抜き管路と、
を備えることを特徴とする内視鏡洗浄消毒装置。
【請求項２】
前記水位検出手段は、液体の前記エアー抜き管路への溢れを検知する
ことを特徴とする請求項１に記載の内規鏡洗浄消毒装置。
【請求項３】
前記水位検出手段の検出結果に基づき、少なくとも前記液体供給管路及び前記気体移動管路内での、流体移動を制御する制御手段を
さらに備えたことを特徴とする請求項１または２に記載の内規鏡洗浄消毒装置。
【請求項４】
少なくとも１つの前記液体供給元容器へ前記液体供給管路からの逆流を防止するために、少なくとも１つの前記液体供給元容器と接続された前記気体移動管路の途中に設けられた逆止弁と、
前記少なくとも１つの液体供給元容器と大気とを直接連結する吸気管路と、
前記吸気管路から大気への流出を防止するための、前記吸気管路の途中に設けられた逆止弁と、
を設けたことを特徴とする請求項１ないし３のいずれか１つに記載の内規鏡洗浄消毒装置。
【請求項５】
前記液体供給元容器に貯留された液体が消毒液の濃縮剤及び活性剤である
ことを特徴とする請求項１ないし４のいずれか１つに記載の内視鏡洗浄消毒装置。
【請求項６】
前記エアー抜き管路はガスフィルタを介して大気に接続されている
ことを特徴とする請求項１ないし３のいずれか１つに記載の内視鏡洗浄消毒装置。
【発明の詳細な説明】
【技術分野】
【０００１】
本発明は、使用済みの内視鏡を洗浄し消毒する内視鏡洗浄消毒装置に関するものである。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて処置具の挿通チャンネル内に挿入した処置具を用いて各種処置をしたりすることができる。
【０００３】
特に医療分野の内視鏡は、検査及び治療を目的として体腔内に挿入して使用されるものであるため、使用済みの内視鏡を洗浄消毒することが必要である。この使用済みの内視鏡を洗浄消毒するときに、内視鏡洗浄消毒装置が使用される場合がある。その場合、内視鏡は、内視鏡洗浄消毒装置の洗浄槽内にセットされ、洗浄、消毒、濯ぎ及び水切りがされる。内視鏡は、内部に送気送水チャンネル、鉗子チャンネルなど複数の内部管路を有している。これら内部管路内にも、十分に洗浄液及び消毒液を通過させ、これら内部管路も確実に洗浄及び消毒などされる必要がある。
【０００４】
従来、例えば特開２００６−２３０７０９号公報等の内視鏡洗浄消毒装置では、内視鏡管路に対して洗浄機に内蔵しているポンプやコンプレッサなどにより、水、洗浄液、消毒液などの処理液、または空気を送っている。
【０００５】
従来の内視鏡洗浄消毒装置では、消毒液は、一般的には、所定の薬液ボトル内に貯留された濃縮液と活性剤とを希釈タンク内にて水で調合する方式で生成される。
【０００６】
従来の消毒液生成方式としては、例えば、薬液供給管路に薬液ボトルから薬液供給管路を介して、自重にて薬液ボトル内の消毒液を希釈タンク内に供給する方式がある。また、薬液供給管路に弁を設けて、薬液ボトル内に貯留された数回分の濃縮液を使用毎に供給する方式も提案されている。
【０００７】
（従来構成例１）
図１４に示すように、従来の第１の構成例は、液体供給元容器５０１と、液体供給先容器５０２と、液体供給制御手段としてのポンプ５０３が設けられ、液体供給元容器５０１からの消毒液を液体供給先容器に送液する液体供給管路５０４と、液体供給元容器５０１と液体供給先容器５０２の内部気体が移動を行うための管路となっている気体移動管路５０５と、水位検出手段としての水位検出センサ５０６とを備えて構成される。
【０００８】
（従来構成例２）
図１５に示すように、従来の第２の構成例は、液体供給元容器５０１と、液体供給先容器５０２と、液体供給制御手段としての電磁弁５０７が設けられ、液体供給元容器５０１からの消毒液を自重にて液体供給先容器５０２の送液する液体供給管路５０４と、液体供給元容器５０１と液体供給先容器５０２の内部気体の移動を行うための管路となっている気体移動管路５０５と、水位検出手段としての水位検出センサ５０６とを備えて構成される。
【０００９】
（従来構成例３）
図１６に示すように、従来の第３の構成例は、濃縮液を貯留している第１の液体供給元容器５０１ａと、活性液を貯留している第２の液体供給元容器５０１ｂと、液体供給先容器５０２と、液体供給制御手段としての電磁弁５０７ａ、５０７ｂが設けられ、第１の液体供給元容器５０１ａ及び第２の液体供給元容器５０１ｂからの消毒液及びを自重にて液体供給先容器５０２の送液する液体供給管路５０４ａ、５０４ｂと、第１の液体供給元容器５０１ａ及び第２の液体供給元容器５０１ｂと液体供給先容器５０２の内部気体の移動を行うための管路となっている気体移動管路５０５と、水位検出手段としての水位検出センサ５０６とを備えて構成される。
【００１０】
この第３の構成例では、図１７に示すように、まず、電磁弁５０７ｂを閉じると共に、電磁弁５０７ａを開放し、第１の液体供給元容器５０１ａ内の消毒液を液体供給先容器５０２に供給する。このとき気体移動管路５０５を介して、第１の液体供給元容器５０１ａと第２の液体供給元容器５０１ｂの内圧は液体供給先容器５０２の内圧に調整される。
【００１１】
次に、図１８に示すように、電磁弁５０７ａを閉じると共に、電磁弁５０７ｂを開放し、第２の液体供給元容器５０１ｂ内の消毒液を液体供給先容器５０２に供給する。このときも気体移動管路５０５を介して、第１の液体供給元容器５０１ａと第２の液体供給元容器５０１ｂの内圧は液体供給先容器５０２の内圧に調整される。なお、水位検出センサ５０６により液体供給先容器５０２内の液量が検出される。
【特許文献１】特開２００６−２３０７０９号公報
【発明の開示】
【発明が解決しようとする課題】
【００１２】
しかしながら、使用毎に薬液ボトルから送液を行う場合、必ず薬液ボトルに吸気が必要となり、かつ供給先の容器（希釈タンク）が閉空間の場合には供給先の容器（希釈タンク）の排気が必要となると共に、例えば消毒液が揮発性の薬液の場合では、長期間保管されると薬液ボトルが膨張するため、薬液ボトルの内圧を所定の圧力に保つために供給元の容器（薬液ボトル）の排気が必要となる。また、濃縮液と活性剤の吸気管路と排気管路とを一緒に構成すると、濃縮液が活性剤の蒸気により劣化が促進されるといった問題がある。
【００１３】
本発明は、上記事情に鑑みてなされたものであり、内視鏡を消毒するための消毒液を安定的に生成及び供給することのできる内視鏡洗浄消毒装置を提供することを目的としている。
【課題を解決するための手段】
【００１４】
本発明の内視鏡洗浄消毒装置は、
容器内に存在している液体を別の容器に供給する液体供給装置を有する内視鏡洗浄消毒装置において、
液体を供給する元となる少なくとも１つの容器である液体供給元容器と、
液体を供給する先となる少なくとも１つの容器である液体供給先容器と、
前記液体供給元容器と前記液体供給先容器とを連結する液体を供給するための少なくとも１つの液体供給管路と、
前記液体供給管路の途中に設けられた液体供給を制御することのできる液体供給制御手段と、
前記液体供給元容器と前記液体供給先容器とを連結する少なくとも１つの管路であり、前記液体供給先容器内及び前記液体供給元容器内の気体の移動が行われるための管路となっている気体移動管路と、
前記液体供給元容器または前記液体供給先容器に設けられ、液体の水位を検知するための水位検出手段と、
前記供給元容器または供給先容器と連結し、前記供給元容器内及び供給先容器内の圧力を大気圧に調整するエアー抜き管路と、
を備えて構成される。
【発明の効果】
【００１５】
本発明によれば、内視鏡を消毒するための消毒液を安定的に生成及び供給することができるという効果がある。
【発明を実施するための最良の形態】
【００１６】
以下、本発明の実施例の詳細について述べる。
【実施例１】
【００１７】
図１ないし図５は本発明の実施例１に係わり、図１は内視鏡洗浄消毒装置を示す概観図、図２は図１の内視鏡自動洗浄消毒装置の内部構成を示す構成図、図３は図２の内視鏡自動洗浄消毒装置の変形例１の内部構成を示す構成図、図４は図２の内視鏡自動洗浄消毒装置の変形例２の内部構成を示す構成図、図５は図２の内視鏡自動洗浄消毒装置の変形例３の内部構成を示す構成図である。
【００１８】
図１に示すように、本実施例の内視鏡洗浄消毒装置１は、使用済みの内視鏡９０を洗浄し消毒するための装置であり、装置本体２と、その上部に、例えば図示しない蝶番を介して開閉自在に接続された蓋体であるトップカバー３とにより、主要部が構成されている。
【００１９】
装置本体２の上面の略中央部に、内視鏡９０を収納するための洗浄消毒槽４が設けられている。洗浄消毒槽４内に内視鏡９０をセットし、トップカバー３を閉じて所定の操作を行うことにより、流体である洗浄液等の液体を用いて内視鏡９０の洗浄と消毒が自動的に行われる。
【００２０】
洗浄消毒槽４内には、内視鏡９０の外表面を洗浄及び消毒するために洗剤を供給する洗剤ノズル２２、消毒液を供給する消毒ノズル２３、循環液を供給する給水循環ノズル２４が設けられている。さらに、洗浄消毒槽４内には、液体を循環させるために洗浄消毒槽４内の液体を回収する循環口５６と、洗浄消毒槽４内の液体を排水するための排水口５５も設けられている。
【００２１】
また、図１に示すように、装置本体２の上面の、例えば操作者が近接する前面側の右寄り部に、装置本体２の洗浄，消毒動作スタートスイッチ、及び洗浄，消毒モード選択スイッチ等の設定スイッチ類が配設され、表示装置を有する操作パネル２５が設けられている。装置本体２の上面の前面側の左寄り部に、内視鏡９０に設けられたＩＤタグ等の識別信号発信器からの識別信号を受信する無線ＩＤ送受信ユニット２６が内蔵されている。識別信号は、例えば、内視鏡９０の種類を示すコード信号等である。
【００２２】
また、装置本体２の上面であって、操作者が近接する前面とは反対側に、装置本体２に水道水を供給するための、水道栓に接続されたホースが接続される給水ホース接続口３１が配設されている。尚、給水ホース接続口３１には、水道水を濾過するフィルタが配設されていてもよい。
【００２３】
さらに、洗浄消毒槽４内には、内視鏡９０の内部の内視鏡管路である各チャンネル内を洗浄し消毒するために、内視鏡９０の各チャンネルの開口部とそれぞれ接続チューブを介して接続される、接続手段である吸引管路用コネクタ３２、送気送水管路用コネクタ３３と、鉗子起上パイプ用コネクタ３４と、漏水検知口用コネクタ３５が設けられている。また、これらコネクタ３２，３３，３４は、接続チューブが接続されると連通し、接続チューブが接続されていないときは閉塞される機構を有している。さらに、洗浄消毒槽４内には、洗浄消毒槽４内の液体の水位を検出するための水位センサ３６が設けられている。
【００２４】
内視鏡９０は、一般に挿入部９１の先端から被検体の表面を撮像するだけでなく、内視鏡９０の種類によっては、内視鏡９０の挿入部９１の先端部に送気及び送水を行ったり、吸引を行ったり、鉗子等の処置具を挿通したりするための内部の内視鏡管路である各種チャンネルを複数有している。他にも、挿入部９１の先端において突出する方向を変更するために鉗子起上用の内部管路であるチャンネル等も、内視鏡９０は有している場合がある。
【００２５】
従って、内視鏡９０の各チャンネル内を洗浄し消毒するために、洗浄消毒槽４内に内視鏡９０をセットするときに、各接続チューブの一端は、内視鏡９０の各チャンネルの開口部に接続され、他端は、洗浄消毒槽４内の吸引管路用コネクタ３２、送気送水管路用コネクタ３３、鉗子起上パイプ用コネクタ３４等の接続手段に接続される。具体的な例としては、１つの接続チューブ（吸引チャンネル接続用チューブ）の一端は、内視鏡１００の鉗子口９３に接続され、その接続チューブの他端は、洗浄消毒槽４内の吸引管路用コネクタ３２に接続される。他の接続チューブ（送気送水チャンネル接続用チューブ）の一端は、内視鏡９０の送気送水チャンネルの送気送水シリンダ９２ａ，９２ｂに接続され、その接続チューブの他端は、洗浄消毒槽４内の送気送水管路用コネクタ３３に接続される。別の接続チューブ（鉗子起上チャンネル接続用チューブ）の一端は、内視鏡９０の鉗子起上チャンネルの鉗子起上口９４に接続され、その接続チューブの他端は、洗浄消毒槽４内の鉗子起上パイプ用コネクタ３４に接続される。さらに別の接続チューブ（漏水検知用接続用チューブ）の一端は、内視鏡９０の漏水検知口（図示せず）に接続され、その接続チューブの他端は、洗浄消毒槽４内の漏水検知口用コネクタ３５に接続される。
【００２６】
なお、１台の内視鏡洗浄消毒装置１で、複数の内視鏡９０を洗浄し消毒することができるようにするために、内部のチャンネルに接続される吸引管路用コネクタ３２等のコネクタを、それぞれ複数設けてもよい。
【００２７】
本実施例の内視鏡洗浄消毒装置１は、図２に示すように、濃縮液を貯留している第１の液体供給元容器１０１ａと、活性液を貯留している第２の液体供給元容器１０１ｂと、液体供給先容器１０２と、液体供給制御手段としての電磁弁１０７ａ、１０７ｂが設けられ、第１の液体供給元容器１０１ａ及び第２の液体供給元容器１０１ｂからの消毒液及び活性液を自重にて液体供給先容器１０２に送液する液体供給管路１０４ａ、１０４ｂと、第１の液体供給元容器１０１ａ及び第２の液体供給元容器１０１ｂと液体供給先容器１０２の内部気体の移動を行うための管路となっている気体移動管路１０５と、水位検出手段としての水位検出センサ１０６と、を備えて構成される。
【００２８】
気体移動管路１０５には、第１の液体供給元容器１０１ａに第２の液体供給元容器１０１ｂからの気体の流入を制御するための逆止弁１１０と、第１の液体供給元容器１０１ａの内圧を大気圧に制御するための逆止弁１１１が設けられている。
【００２９】
さらに、内視鏡洗浄消毒装置１では、液体供給先容器１０２は、希釈タンク１２０とポンプ１２１を介して、送液管路１２２を介して接続され、ポンプ１２１により液体供給先容器１０２にて濃縮液及び活性液より生成された消毒液が希釈タンク１２０に供給されるようになっている。
【００３０】
希釈タンク１２０は、電磁弁１２４を介して、水を供給する希釈管路１２５を備えている。また、希釈タンク１２０は、液体供給先容器１０２と内部気体の移動を行うための管路となっている気体移動管路１２６と、水位検出手段としての水位検出センサ１２７と、希釈タンク１２０の内圧を大気圧に保つためのガスフィルタ１２８を備えたエアー抜き管路１２９と、希釈タンク１２０内の水により希釈された消毒液を洗浄消毒槽４に供給するためのポンプ１３０が設けられた消毒槽供給管路１３１と、を備えている。
【００３１】
なお、水位検出センサ１０６、１２７は、制御ユニット３００に接続されており、制御ユニット３００は水位検出センサ１０６、１２７の検知結果に基づき、ポンプ１２１、電磁弁１２４等を制御するように構成されている。
【００３２】
（変形例１）
本実施例の変形例１では、図３に示すように、液体供給先容器１０２が電磁弁１３５を有する管路１３６を介して、内部の消毒液を自重にて希釈タンク１２０に供給する構成となっている。
【００３３】
（変形例２）
本実施例の変形例２では、図４に示すように、希釈タンク１２０を必要としない場合の構成例となっている。この場合、消毒槽供給管路１３１には逆止弁１３８が設けられている。
【００３４】
（変形例３）
本実施例の変形例３では、図５に示すように、濃縮液を貯留している第１の液体供給元容器１０１ａと、活性液を貯留している第２の液体供給元容器１０１ｂと、液体供給先容器１０２と、液体供給制御手段としてのポンプ１５７ａ、１５７ｂが設けられ、第１の液体供給元容器１０１ａ及び第２の液体供給元容器１０１ｂからの消毒液及び活性液をポンプ１５７ａ、１５７ｂにて液体供給先容器１０２に送液する液体供給管路１０４ａ、１０４ｂと、第１の液体供給元容器１０１ａ及び第２の液体供給元容器１０１ｂと液体供給先容器１０２の内部気体の移動を行うための管路となっている気体移動管路１０５と、液体供給先容器１０２に設けられた水位検出手段としての水位検出センサ１０６とを備えて構成される。この場合、液体供給管路１０４ａ、１０４ｂには逆止弁１５９ａ、１５９ｂが設けられている。
【００３５】
気体移動管路１０５には、第１の液体供給元容器１０１ａと第２の液体供給元容器１０１ｂ及び液体供給先容器１０２との気体の流入を制御するための逆止弁１１０と、第１の液体供給元容器１０１ａの内圧を大気圧に制御するための逆止弁１１１が設けられている。
【００３６】
この変形例３は、コンプレッサ１６１から液体供給先容器１０２内の内圧を、３方弁１６２及びガスフィルタ１２８を備えたエアー抜き管路１２９を介して加圧し、このエアー抜き管路１２９により、第１の液体供給元容器１０１ａ及び第２の液体供給元容器１０１ｂからの液体供給先容器１０２の送液を制御するようになっている。
【００３７】
このように構成された、本実施例（変形例１〜３を含む）では、エアー抜き管路１２９を設けているので、液体供給元容器での吸気ができ、かつ液体供給先容器（希釈タンク）が閉空間で場合でも液体供給先容器（希釈タンク）の排気が可能となると共に、例えば消毒液が揮発性の薬液の場合では、長期間保管されると液体供給元容器が膨張しても、液体供給元容器の内圧を所定の圧力に保つための排気ができ、さらに濃縮液と活性剤の吸気管路と排気管路とを一緒に構成しても、濃縮液が活性剤の蒸気により劣化を抑えることができ、消毒液を安定的に生成することができる。
【００３８】
ところで、液体供給元容器内の液体を液体供給先容器に供給する場合、上述したように、従来は、ポンプによる送液方法や、液体供給元容器内を加圧することによる送液方法が用いられていた。
【００３９】
この場合、液体供給先容器に設けられた水位検出センサにて供給量を検知し、その後、例えばポンプを停止、または加圧を停止し、液体供給元容器内の圧力を開放して送液を停止する等の制御がとられていたが、これらの制御では停止後の瞬時の送液を止める事ができず、少量の液体が流れてしまい、精度の高い供給が要求される場合には、その供給の精度に悪影響を及ぼす虞れがあり、さらにポンプ送液の場合には、サイフォン現象により、液体が流れ続けたり、逆流すると行った課題がある。
【００４０】
図６ないし図１３は液体供給先容器への精度の高い供給及びサイフォン現象を防止することのできる内視鏡洗浄消毒装置に係わり、図６は液体供給先容器への精度の高い供給及びサイフォン現象を防止することのできる内視鏡洗浄消毒装置を説明する第１の図、図７は液体供給先容器への精度の高い供給及びサイフォン現象を防止することのできる内視鏡洗浄消毒装置を説明する第２の図、図８は液体供給先容器への精度の高い供給及びサイフォン現象を防止することのできる内視鏡洗浄消毒装置を説明する第３の図、図９は液体供給先容器への精度の高い供給及びサイフォン現象を防止することのできる内視鏡洗浄消毒装置を説明する第４の図、図１０は液体供給先容器への精度の高い供給及びサイフォン現象を防止することのできる内視鏡洗浄消毒装置を説明する第５の図、図１１は液体供給先容器への精度の高い供給及びサイフォン現象を防止することのできる内視鏡洗浄消毒装置を説明する第６の図、図１２は液体供給先容器への精度の高い供給及びサイフォン現象を防止することのできる内視鏡洗浄消毒装置を説明する第７の図、図１４は液体供給先容器への精度の高い供給及びサイフォン現象を防止することのできる内視鏡洗浄消毒装置を説明する第８の図である。
【００４１】
従来の内視鏡洗浄消毒装置について説明する。図６に示すように、第１のケースとして、第１の液体供給元容器１０１ａと第２の液体供給元容器１０１ｂが液体供給先容器１０２の上部に配置されている構成では、第１の液体供給元容器１０１ａと第２の液体供給元容器１０１ｂからポンプ２００，２０１を用いて、液体を液体供給先容器１０２に供給する場合、通常は破線に示す流れによりポンプ２００，２０１を介して液体が液体供給先容器１０２に供給されるが、ポンプ２００，２０１を停止しても、サイフォン現象にて２点破線に示しように、第１の液体供給元容器１０１ａと第２の液体供給元容器１０１ｂから液体供給先容器１０２への液体の流出が継続する。
【００４２】
また、図７に示すように、第２のケースとして、第１の液体供給元容器１０１ａと第２の液体供給元容器１０１ｂが液体供給先容器１０２の下部に配置されている構成では、第１の液体供給元容器１０１ａと第２の液体供給元容器１０１ｂからポンプ２００，２０１を用いて、液体を液体供給先容器１０２に供給する場合、通常は破線に示す流れによりポンプ２００，２０１を介して液体が液体供給先容器１０２に供給されるが、ポンプ２００，２０１を停止した場合、サイフォン現象にて２点破線に示しように、液体供給先容器１０２から第１の液体供給元容器１０１ａと第２の液体供給元容器１０１ｂへ液体の流出が発生する。
【００４３】
そこで、図８及び図９に示すように、第１及び第２のケースに対しては、第１の液体供給元容器１０１ａと第２の液体供給元容器１０１ｂから液体供給先容器１０２への管路に逆止弁２２０、２２１をそれぞれ設けることにより、図１０に示すように、逆止弁２２０、２２１のクラッキング圧により、液体の流出の時間が、第１タイミングラグ時間から第２タイミングラグ時間に短縮でき、液体の流出の継続及びサイフォン現象の発生を抑制することが可能となる。
【００４４】
また、図１１に示すように、第３のケースとして、コンプレッサ１８０及び加圧タンク１８１を用いて加圧により第１の液体供給元容器１０１ａと第２の液体供給元容器１０１ｂからの液体を液体供給先容器１０２に供給する場合、従来は、３方弁２５２，２５３をそれぞれの管路に設けていたが、上述したように、第１の液体供給元容器１０１ａと第２の液体供給元容器１０１ｂの、液体供給先容器１０２に対する配置により、液体の流出の継続及びサイフォン現象が発生する。
【００４５】
そこで、このような第３のケースの場合には、図１２に示すように、３方弁１８２，１８３の次段の、第１の液体供給元容器１０１ａと第２の液体供給元容器１０１ｂから液体供給先容器１０２への管路に３方弁２５２，２５３をそれぞれ設けることにより、図１３に示すように、３方弁２５２，２５３のクラッキング圧により、液体の流出の時間が、第１タイミングラグ時間から第２タイミングラグ時間に短縮でき、液体の流出の継続及びサイフォン現象の発生を抑制することが可能となる。
【００４６】
［付記］
（付記項１）容器内に存在している液体を別の容器に供給する液体供給装置を有する内視鏡洗浄消毒装置において、
液体を供給する元となる少なくとも１つの容器である供給元容器と、
液体を供給する先となる少なくとも１つの容器である液体供給先容器と、
前記液体供給元容器と前記液体供給先容器とを連結する液体を供給するための少なくとも１つの液体供給管路と、
前記液体供給元容器内の液体を、前記液体供給管路を介して前記液体供給先容器へ液体を供給する液体供給手段と、
前記液体供給管路の途中に設けられ、前記液体供給手段の送液圧力より低く大気圧よりも充分高い圧力が順方向に加わることで弁が開く構造となっている圧力制御弁と、
を備えることを特徴とする内視鏡洗浄消毒装置。
【００４７】
（付記項２）前記圧力制御弁は逆止効果を持つことを特徴とする付記項１に記載の内視鏡洗浄消毒装置。
【００４８】
本発明は、上述した実施例に限定されるものではなく、本発明の要旨を変えない範囲において、種々の変更、改変等が可能である。
【図面の簡単な説明】
【００４９】
【図１】本発明の実施例１に係る内視鏡洗浄消毒装置を示す概観図
【図２】図１の内視鏡自動洗浄消毒装置の内部構成を示す構成図
【図３】図２の内視鏡自動洗浄消毒装置の変形例１の内部構成を示す構成図
【図４】図２の内視鏡自動洗浄消毒装置の変形例２の内部構成を示す構成図
【図５】図２の内視鏡自動洗浄消毒装置の変形例３の内部構成を示す構成図
【図６】液体供給先容器への精度の高い供給及びサイフォン現象を防止することのできる内視鏡洗浄消毒装置を説明する第１の図
【図７】液体供給先容器への精度の高い供給及びサイフォン現象を防止することのできる内視鏡洗浄消毒装置を説明する第２の図
【図８】液体供給先容器への精度の高い供給及びサイフォン現象を防止することのできる内視鏡洗浄消毒装置を説明する第３の図
【図９】液体供給先容器への精度の高い供給及びサイフォン現象を防止することのできる内視鏡洗浄消毒装置を説明する第４の図
【図１０】液体供給先容器への精度の高い供給及びサイフォン現象を防止することのできる内視鏡洗浄消毒装置を説明する第５の図
【図１１】液体供給先容器への精度の高い供給及びサイフォン現象を防止することのできる内視鏡洗浄消毒装置を説明する第６の図
【図１２】液体供給先容器への精度の高い供給及びサイフォン現象を防止することのできる内視鏡洗浄消毒装置を説明する第７の図
【図１３】液体供給先容器への精度の高い供給及びサイフォン現象を防止することのできる内視鏡洗浄消毒装置を説明する第８の図
【図１４】従来の内視鏡自動洗浄消毒装置の内部構成を示す第１の図
【図１５】従来の内視鏡自動洗浄消毒装置の内部構成を示す第２の図
【図１６】従来の内視鏡自動洗浄消毒装置の内部構成を示す第３の図
【図１７】従来の内視鏡自動洗浄消毒装置の内部構成を示す第４の図
【図１８】従来の内視鏡自動洗浄消毒装置の内部構成を示す第５の図
【符号の説明】
【００５０】
１…内視鏡自動洗浄消毒装置
２…装置本体
４…洗浄消毒槽
２４…給水循環ノズル
２５…操作パネル
２６…無線ＩＤ送受信ユニット
３２…管路コネクタ
１００…内視鏡
１０１ａ、１０１ｂ…液体供給元容器
１０２…液体供給先容器
１０４ａ、１０４ｂ…液体供給管路
１０５…気体移動管路
１０６、１２７…水位検出センサ
１０７ａ、１０７ｂ、１２３…電磁弁
１１０、１１１…逆止弁
１２０…希釈タンク
１２１、１３０…ポンプ
１２２…送液管路
１２８…ガスフィルタ
１２９…消毒槽供給管路
１３１…消毒槽供給管路
【図１】
2010022663.tif 000003
【図２】
2010022663.tif 000004
【図３】
2010022663.tif 000005
【図４】
2010022663.tif 000006
【図５】
2010022663.tif 000007
【図６】
2010022663.tif 000008
【図７】
2010022663.tif 000009
【図８】
2010022663.tif 000010
【図９】
2010022663.tif 000011
【図１０】
2010022663.tif 000012
【図１１】
2010022663.tif 000013
【図１２】
2010022663.tif 000014
【図１３】
2010022663.tif 000015
【図１４】
2010022663.tif 000016
【図１５】
2010022663.tif 000017
【図１６】
2010022663.tif 000018
【図１７】
2010022663.tif 000019
【図１８】
2010022663.tif 000020